(57)【要約】【課題】噴射した湯水を使用する前の温度確認を怠りにくい。【解決手段】シャワーヘッド１の背面に貫通孔６が形成されており、把持部５を把持した際に貫通孔６に親指を挿入するようになっている。したがって、貫通孔６から湯水が漏れないように、親指を挿入して使用することになる。これにより、挿入した親指で流路８を通る湯水の温度を直に確認するため、湯水を使用する前の温度確認を怠りにくくなる。【選択図】図３
2010142532.tif 000002
【特許請求の範囲】
【請求項１】
液体を噴射する噴射口と、把持部と、前記供給口から前記把持部内を通って前記噴射口へと向かう液体流路と、外部から前記液体流路内へと液体が供給される供給口とが形成されたヘッド本体を備えており、
前記ヘッド本体において前記把持部又はその周辺の表面に、前記液体流路に連通する、手指を挿入可能な貫通孔が開口していることを特徴とする噴射ヘッド。
【請求項２】
前記ヘッド本体において前記噴射口が形成された正面とは反対側の背面に前記貫通孔が開口していることを特徴とする請求項１に記載の噴射ヘッド。
【請求項３】
前記背面において前記把持部より前記供給口から遠い領域が、背後に向かって突出した突出領域を含んでおり、
前記突出領域において前記把持部側の位置に前記貫通孔が開口していることを特徴とする請求項２に記載の噴射ヘッド。
【請求項４】
前記貫通孔が、前記ヘッド本体の表面の垂線に交差する方向に沿った内表面を有していることを特徴とする請求項１〜３のいずれか１項に記載の噴射ヘッド。
【請求項５】
前記ヘッド本体に、前記貫通孔より大きい嵌め込み孔が形成されており、
前記貫通孔が形成された嵌め込み部材が、前記嵌め込み孔に着脱可能に嵌め込まれていることを特徴とする請求項１〜４のいずれか１項に記載の噴射ヘッド。
【発明の詳細な説明】
【技術分野】
【０００１】
本発明は、液体を噴射する噴射ヘッドに関わる。
【背景技術】
【０００２】
液体の噴射口を有する噴射ヘッドの一例として、特許文献１のシャワーヘッドがある。
【０００３】
【特許文献１】特開平１０−１２１５３５号公報
【発明の開示】
【発明が解決しようとする課題】
【０００４】
従来、水や湯の温度を確認せずに噴射ヘッドから湯水を噴射させてしまい、熱湯や冷水を直接人肌に浴びせてしまうことがよくある。
【０００５】
本発明の目的は、使用前の温度確認を怠りにくい噴射ヘッドを提供することにある。
【課題を解決するための手段】
【０００６】
本発明の噴射ヘッドは、液体を噴射する噴射口と、把持部と、前記供給口から前記把持部内を通って前記噴射口へと向かう液体流路と、外部から前記液体流路内へと液体が供給される供給口とが形成されたヘッド本体を備えており、前記ヘッド本体において前記把持部又はその周辺の表面に、前記液体流路に連通する、手指を挿入可能な貫通孔が開口している。
【０００７】
本発明の噴射ヘッドによると、把持部又はその周辺に貫通孔があるので、この貫通孔を指で塞がないと内部の液体が漏れてしまう。したがって、貫通孔に指を入れて使用する傾向が強まる。貫通孔に指を入れると指が内部の液体に触れるので、使用前の温度確認を怠りにくくなる。
【０００８】
また、本発明においては、前記ヘッド本体において前記噴射口が形成された正面とは反対側の背面に前記貫通孔が開口していてもよい。これによると、右手の場合にも左手の場合にも親指を挿入しやすい位置に貫通孔を配置できる。
【０００９】
また、本発明においては、前記背面において前記把持部より前記供給口から遠い領域が、背後に向かって突出した突出領域を含んでおり、前記突出領域において前記把持部側の位置に前記貫通孔が開口していることが好ましい。これによると、突出領域の把持部側に貫通孔が形成されているため、把持部を握った際に親指を把持部側から貫通孔に挿入しやすい。
【００１０】
また、本発明においては、前記貫通孔が、前記ヘッド本体の表面の垂線に交差する方向に沿った内表面を有していることが好ましい。これによると、貫通孔がヘッド表面から内部の液体流路まで斜めに形成されるので、指を沿わせやすい構成となる。
【００１１】
また、本発明においては、前記ヘッド本体に、前記貫通孔より大きい嵌め込み孔が形成されており、前記貫通孔が形成された嵌め込み部材が、前記嵌め込み孔に着脱可能に嵌め込まれていることが好ましい。これによると、さまざまな大きさ、形状の貫通孔が形成された嵌め込み部材を用意することで、指の太さや形状に合う貫通孔を選択可能な噴射ヘッドが実現する。
【発明を実施するための最良の形態】
【００１２】
以下、本発明の好適な一実施形態について説明する。図１は、本実施形態に係るシャワーヘッド（噴射ヘッド）１の斜視図である。図２はシャワーヘッド１の背面図であり、図３は図２のＩＩＩ−ＩＩＩ線断面図である。
【００１３】
図１〜３に示すように、シャワーヘッド１は、複数の湯水の噴射口３が正面に形成されたヘッド本体２を有している。ヘッド本体２は、図１の上下方向に細長い棒状の概略形状を有しており、噴射口３はヘッド本体２の上部に配置されている。ヘッド本体２の下部には把持部５が設けられている。把持部５は概略的に円筒形状であり、ユーザはシャワーヘッド１を使用する際、把持部５を把持する。ヘッド本体２の下端には接続部４が設けられている。接続部４は、シャワーヘッド１に湯水を供給するシャワーホースなどに接続される部分である。接続部４の下面には、湯水の供給口４ａが開口している。
【００１４】
図３に示すように、ヘッド本体２の内部には湯水の流路８が形成されている。流路８は、下端において供給口４ａに連通しており、上部において噴射口３と連通している。供給口４ａから供給された湯水は流路８を通って噴射口３から噴射される。
【００１５】
図２、図３に示すように、ヘッド本体２の背面には突出部２ａ（突出領域）が形成されている。突出部２ａは、ヘッド本体２の背面が後方に向かって突出した部分であり、把持部５の少し上方に形成されている。突出部２ａにおいてヘッド本体２の正面から最も離れた頂部より把持部５に近い、図２、図３に示す領域２ｂは、ほぼ平面に沿って延びている。領域２ｂの図２において左右方向に中央近傍には嵌め込み孔２ｃが形成され、その嵌め込み孔２ｃに嵌め込み部材７がはめ込まれている。
【００１６】
図４（ａ）は嵌め込み部材７の拡大断面図である。嵌め込み部材７は、ゴムなどの弾性材料から構成されており、円筒形の概略形状を有している。嵌め込み部材７の周面には突起７ａ及び７ｂが形成されている一方で、嵌め込み孔２ｃも突起７ａ及び７ｂがちょうど嵌まるように形成されている。突起７ａは突起７ｂに比べて短くなっており、突起７ａをヘッド本体２の外側から嵌め込み孔２ｃの開口を通すように嵌め込み孔２ｃの流路８側に嵌め込むことで、嵌め込み部材７を嵌め込み孔２ｃに嵌め込むことができるようになっている。
【００１７】
嵌め込み部材７の内部には、円筒の一方の底面から他方の底面まで貫通する貫通孔６が形成されている。貫通孔６は、図４（ａ）に示すように、円筒の底面に直交する方向Ａに交差する方向に沿った内表面を有している。方向Ａは、嵌め込み部材７を嵌め込み孔２ｃにはめ込んだ際における領域２ｂの垂線方向に相当する。これにより、この内表面は、嵌め込み部材７を嵌め込み孔２ｃにはめ込んだ際に、図３に示すようにちょうど把持部５を握った手の親指をぴったり挿入できるような形状に形成されている。なお、貫通孔６は、ヘッド本体２の背面に配置されており、且つ、図２においてヘッド本体２の左右方向について中央近傍に配置されている。このため、把持部５を右手で握った場合にも左手に握った場合にも、いずれの場合にも親指を挿入しやすい。
【００１８】
また、嵌め込み部材７は弾性材料で構成されており、変形しやすく、嵌め込み孔２ｃへと着脱自在に構成されている。これにより、例えば図４（ｂ）及び図４（ｃ）に示す嵌め込み部材１７や２７と嵌め込み部材７とを交換することができる。嵌め込み部材１７に形成された貫通孔１６は、嵌め込み部材７の貫通孔６と比べて径が小さく、嵌め込み部材７を使う場合よりも小さい親指を挿入させるのに適している。また、嵌め込み部材２７に形成された貫通孔２６は、嵌め込み部材７の貫通孔６と比べて、流路８側に向かって先細りの形状を有している。これにより、挿入した親指を押し込むことで、貫通孔２６を確実に塞ぐことができると共に、親指を貫通孔２６内にしっかり固定することができる。
【００１９】
以上説明した本実施形態によると、把持部５の近傍に流路８に連通する貫通孔６が形成されているので、図３のように親指を挿入して貫通孔６を塞がなければ流路８内の湯水が貫通孔６から漏れ出してしまう。したがって、シャワーヘッド１を使用する際は貫通孔６に親指を挿入して使用するようになる。このため、親指が直接湯水に触れてその温度を感知することができるので、シャワーヘッド１からの湯水を使用する前に温度確認するのを怠りにくくなる。また、貫通孔６に親指を挿入することで、シャワーヘッド１を安定して把持できる。
【００２０】
例えば、介護、看護業界の現場では、シャワーの温度確認を怠って被介護者、被看護者に冷水や熱水をかけてしまう事故が考えられる。このような現場に、貫通孔に指を挿入して使用することが前提となる本実施形態を採用すると、温度確認を怠りにくくなるため、上記のような事故を効果的に抑制することが可能である。
【００２１】
また、さまざまな形状の貫通孔６〜２６が形成された嵌め込み部材７〜２７等を選択的に嵌め込み孔２ｃに嵌め込み可能な構成であるため、指の太さや形状に合う貫通孔を選択可能である。
【００２２】
以上は、本発明の好適な実施形態についての説明であるが、本発明は上述の実施形態に限られるものではなく、課題を解決するための手段に記載された範囲の限りにおいて様々な変更が可能なものである。
【００２３】
上述の実施形態では貫通孔６がヘッド本体２の背面に形成されており、親指を挿入することを想定しているが、親指以外の指を挿入できるように貫通孔が形成されていてもよい。例えば、把持部５の側面に人差し指を挿入するように形成されていたり、中指を挿入するように形成されていたりしてもよい。
【００２４】
また、上述の実施形態では、下方から親指を挿入しやすいように、貫通孔６の内表面が図３の方向Ａに交差する方向に沿っている。しかし、例えば、領域２ｂが図３よりさらに下方に向かって傾いている場合などには、貫通孔６の内表面が方向Ａに沿って形成されていてもよい。要は、指を挿入しやすい方向に沿っていることが好ましい。
【図面の簡単な説明】
【００２５】
【図１】本発明の一実施形態に係るシャワーヘッドの斜視図である。
【図２】図２のシャワーヘッドの背面図である。
【図３】図２のシャワーヘッドのＩＩＩ−ＩＩＩ線断面図である。
【図４】図２のシャワーヘッドに嵌め込む嵌め込み部材の断面図である。
【符号の説明】
【００２６】
６-２６  貫通孔
７-２７  嵌め込み部材
１        シャワーヘッド
２        ヘッド本体
２ａ      突出部
２ｃ      嵌め込み孔
３        噴射口
４ａ      供給口
５        把持部
６        貫通孔
８        流路
【図１】
2010142532.tif 000003
【図２】
2010142532.tif 000004
【図３】
2010142532.tif 000005
【図４】
2010142532.tif 000006